(57)【特許請求の範囲】
【請求項１】
トナー像を転写するときの基準位置となる基準マークが複数設けられ、感光体に形成された基準となる画像サイズのトナー像を同時に２面分保持できる中間転写体を有し、２色以上の画像を形成するときは、最初の基準マーク検知信号を基準に感光体に形成されたトナー像を中間転写体に転写し、中間転写体に転写したトナー像を順次給紙される転写紙に２次転写する画像形成装置において、
自動原稿送り装置にセットされた基準となる画像サイズの原稿を２枚分連続して原稿読取ユニットに送り、原稿読取ユニットに一定間隔で配置し、原稿読取ユニットで２枚の原稿の画像を変倍率に応じた線速で読み取るときに、２枚目の原稿を読み取った画像情報をディレイメモリに格納し、１枚目の原稿の読み取りが終了した後、直ちに１枚目の原稿の画像形成処理を行い、感光体に形成した１枚目の原稿のトナー像を中間転写体に転写し、引き続いて２枚目の原稿の画像情報をディレイメモリから転写紙の給紙間隔と自動原稿送り装置の原稿給紙間隔との差及び変倍率に応じて定める遅延時間だけ遅延して出力して画像形成処理を行い、感光体に形成した２枚目の原稿のトナー像を中間転写体に転写することを特徴とする画像形成装置。
【請求項２】
トナー像を転写するときの基準位置となる基準マークが複数設けられ、感光体に形成された基準となる画像サイズのトナー像を同時に２面分保持できる中間転写体を有し、２色以上の画像を形成するときは、最初の基準マーク検知信号を基準に感光体に形成されたトナー像を中間転写体に転写し、中間転写体に転写したトナー像を順次給紙される転写紙に２次転写する画像形成装置において、
自動原稿送り装置にセットされた基準となる画像サイズの原稿を２枚分所定の原稿給紙間隔で原稿読取ユニットに送り、原稿読取ユニットに一定間隔で配置し、原稿読取ユニットで２枚の原稿の画像を変倍率に応じた線速で読み取るときに、最初の原稿を読み取って画像メモリに格納してから引き続いて次ぎの原稿の読み取りを開始したときに、次ぎの原稿の画像情報をディレイメモリに格納し、次の原稿の読み取りが終了すると、ディレイメモリに記憶した次の原稿の画像情報を、読み取りを開始したときから転写紙の給紙間隔と自動原稿送り装置の原稿給紙間隔との差及び変倍率に応じて定める遅延時間だけ遅延して画像メモリに記憶し、画像メモリに格納された次の原稿の画像情報から読み出して画像形成処理を行い、感光体に形成された次の原稿のトナー像を中間転写体に転写し、引き続いて転写紙の給紙間隔と自動原稿送り装置の原稿給紙間隔との差及び変倍率に応じて定める遅延時間に応じて画像メモリに格納してある最初の原稿の画像情報を読み出して画像形成処理を行い、感光体に形成された最初の原稿のトナー像を中間転写体に転写することを特徴とする画像形成装置。
【請求項３】
上記遅延時間を転写紙のレジスト調整値に基づき補正する請求項１又は２記載の画像形成装置。
【請求項４】
上記遅延時間を自動原稿送り装置のレジスト調整値に基づき補正する請求項１又は２記載の画像形成装置。
【請求項５】
上記遅延時間を原稿読取ユニットの読取速度に基づき補正する請求項１又は２記載の画像形成装置。
【発明の詳細な説明】
【０００１】
【発明の属する技術分野】
この発明は、例えばデジタルカラ−複写機やプリンタ装置等で同時に複数面分の画像形成を行うことができる画像形成装置、特にメモリの低減と画像形成の生産性の向上に関するものである。
【０００２】
【従来の技術】
原稿読取装置で読み取った原稿やホスト装置から送られた画像情報の画像を形成する画像形成装置は、図７に示すように、画像形成ユニット１と１次転写ユニット２と２次転写ユニット３と給紙ユニット４及び定着ユニット５を有する。画像形成ユニット１は感光体１１の周囲に配置された帯電チャージャ１２と画像書込部１３とブラック（Ｋ），シアン（Ｃ），マゼンタ（Ｍ），イエロー（Ｙ）からなる回転式のカラー現像部１４と濃度センサ１５及びドラムクリ−ニング部１６を有し、画像書込部１３からのレーザビームにより感光体１１に静電潜像を形成し、形成した静電潜像をカラー現像部１４で可視化してトナー像を形成する。濃度センサ１５はトナー像を形成した感光体１１に描かれた特定パターンの濃度を検出して、適正な濃度でトナー像が形成されているかどうかを確認する。
【０００３】
１次転写ユニット２は中間転写ベルト２１と１次転写部２２と複数のテンションローラ２３と２次転写ローラ２４と基準位置センサ２５及びクリーニング部２６を有し、感光体１１に形成されたトナー像を中間転写ベルト２１に１次転写する。中間転写ベルト２１は、基準となる画像サイズ、例えばＡ４サイズの２倍以上の長さを有し、同時に２面分のトナー像を転写できるようになっており、図８に示すように、非画像部に一定間隔をおいて２個の基準マーク２７ａ，２７ｂが設けられている。この中間転写ベルト２１は感光体１１上のトナー像を１次転写するとき以外は図示しない接離機構によって感光体１１の表面から離れ、トナー像を１次転写するときだけ感光体１１の表面に圧接される。２次転写ユニット３は中間転写ベルト２１に転写されたトナー像を転写紙６に２次転写する。
【０００４】
上記のように構成された画像形成装置で読み取った原稿やホスト装置から送られた画像情報が送られて画像形成サイクルが始まると、形成する画像が１色の場合は、中間転写ベルト２１上の最初に検出した基準マーク２７を基準にして読み取った原稿やホスト装置から送られた画像情報により感光体１１にトナー像を形成し、形成されたトナー像を中間転写ベルト２１に１次転写する。２次転写ユニット３は中間転写ベルト２１に転写されたトナー像の先端に合わせて給紙ユニット４から給紙された転写紙６にトナー像を２次転写し、定着ユニット５は転写紙６に転写されたトナー像を加熱，加圧して定着する。中間転写ベルト２１に残留しているトナーはクリーニング部２６で回収する。
【０００５】
形成する画像が２色以上の場合は、中間転写ベルト２１上の基準マーク２７を基準位置センサ２５で検知し、このマーク検知信号を基準にして感光体１１に形成されたトナー像を中間転写ベルト２１に１次転写する。この感光体１１に形成されたトナー像を中間転写ベルト２１に転写する１次転写を各色毎に繰り返す。すなわち、２色の画像を形成する場合には中間転写ベルト２１を２回転し、フルカラーの画像を形成する場合には中間転写ベルト２１を４回転して、各回転毎にマーク検知信号を基準にして感光体１１に形成されたトナー像を中間転写ベルト２１に１次転写して各色の画像を位置ずれなしに重ね合わせる。所定の色のトナー像を中間転写ベルト２１に転写したら、中間転写ベルト２１に転写されたトナー像の先端に合わせて給紙された転写紙６にトナー像を２次転写し、定着ユニット５は転写紙６に転写されたトナー像を加熱，加圧して定着する。
【０００６】
また、基準サイズ例えばＡ４サイズの画像のトナー像を２面分同時に中間転写ベルト２１に転写するときは、図９に示すように、１面分のトナー像７ａを基準マーク２７ａの検出を基準にして中間転写ベルト２１に転写してから次ぎの基準マーク２７ｂの検出を基準に２面分のトナー像７ｂを中間転写ベルト２１に転写する。フルカラーの画像を形成する場合には中間転写ベルト２１を４回転して、各回転毎にマーク検知信号を基準にして感光体１１に形成されたトナー像７ａ，７ｂを中間転写ベルト２１に１次転写して各色の画像を位置ずれなしに重ね合わせる。
【０００７】
上記のように構成された画像形成装置においては、複数枚の原稿を複写するときに生産性を向上させるため２枚の原稿の画像を同時に形成するため、２枚の原稿を連続的に原稿読取ユニットのコンタクトガラス上に送る自動原稿送り装置（以下、ＡＤＦという）を使用している。このＡＤＦで２枚の原稿を原稿読取ユニットに送るときに、転写紙の紙間分だけＡＤＦによる原稿の給紙間隔をあけて原稿読取ユニットに送り、２枚目の原稿の画像先端と２枚目の転写紙の先端が一致するようにしている。
【０００８】
【発明が解決しようとする課題】
上記のようにＡＤＦで２枚の原稿を原稿読取ユニットに送り、原稿読取ユニットで２枚の原稿を連続して読み取るときに、転写紙の紙間分だけＡＤＦによる原稿の給紙間隔をあけて原稿読取ユニットに送るようにしているが、２枚の原稿を読み取って形成する画像間ではトナー濃度等の制御用に、トナー像を形成した感光体に一定の濃度パターンを作成し、濃度センサで濃度パターンの濃度を検出し、適正な濃度でトナー像が形成されているかどうかを確認するようにすると、一般的には転写紙間隔よりＡＤＦによる原稿の給紙間隔の方が長くなり、その分だけ原稿読取ユニットの読取範囲が大きくなり、原稿読取ユニットが大きくなってしまい、画像形成装置全体が大型化してしまう。
【００１１】
この発明はかかる短所を改善し、装置の小型化を図るとともに画像形成の生産性の向上を図ることができる画像形成装置を提供することを目的とするものである。
【００１２】
【課題を解決するための手段】
この発明に係る画像形成装置は、トナー像を転写するときの基準位置となる基準マークが複数設けられ、感光体に形成された基準となる画像サイズのトナー像を同時に２面分保持できる中間転写体を有し、２色以上の画像を形成するときは、最初の基準マーク検知信号を基準に感光体に形成されたトナー像を中間転写体に転写し、中間転写体に転写したトナー像を順次給紙される転写紙に２次転写する画像形成装置において、自動原稿送り装置にセットされた基準となる画像サイズの原稿を２枚分連続して原稿読取ユニットに送り、原稿読取ユニットに一定間隔で配置し、原稿読取ユニットで２枚の原稿の画像を変倍率に応じた線速で連続して読み取るときに、２枚目の原稿を読み取った画像情報をディレイメモリに格納し、１枚目の原稿の読み取りが終了した後、直ちに１枚目の原稿の画像形成処理を行い、感光体に形成した１枚目の原稿のトナー像を中間転写体に転写し、引き続いて２枚目の原稿の画像情報をディレイメモリから転写紙の給紙間隔と自動原稿送り装置の原稿給紙間隔との差及び変倍率に応じて定める遅延時間だけ遅延して出力して画像形成処理を行い、感光体に形成した２枚目の原稿のトナー像を中間転写体に転写することを特徴とする。
【００１３】
この発明に係る第２の画像形成装置は、トナー像を転写するときの基準位置となる基準マークが複数設けられ、感光体に形成された基準となる画像サイズのトナー像を同時に２面分保持できる中間転写体を有し、２色以上の画像を形成するときは、最初の基準マーク検知信号を基準に感光体に形成されたトナー像を中間転写体に転写し、中間転写体に転写したトナー像を順次給紙される転写紙に２次転写する画像形成装置において、自動原稿送り装置にセットされた基準となる画像サイズの原稿を２枚分所定の原稿給紙間隔で原稿読取ユニットに送り、原稿読取ユニットに一定間隔で配置し、原稿読取ユニットで２枚の原稿の画像を変倍率に応じた線速で読み取るときに、最初の原稿を読み取って画像メモリに格納してから引き続いて次ぎの原稿の読み取りを開始したときに、次ぎの原稿の画像情報をディレイメモリに格納し、次の原稿の読み取りが終了すると、ディレイメモリに記憶した次の原稿の画像情報を、読み取りを開始したときから転写紙の給紙間隔と自動原稿送り装置の原稿給紙間隔との差及び変倍率に応じて定める遅延時間だけ遅延して画像メモリに記憶し、画像メモリに格納された次の原稿の画像情報から読み出して画像形成処理を行い、感光体に形成された次の原稿のトナー像を中間転写体に転写し、引き続いて転写紙の給紙間隔と自動原稿送り装置の原稿給紙間隔との差及び変倍率に応じて定める遅延時間に応じて画像メモリに格納してある最初の原稿の画像情報を読み出して画像形成処理を行い、感光体に形成された最初の原稿のトナー像を中間転写体に転写することを特徴とする。
【００１５】
また、遅延時間を転写紙のレジスト調整値や自動原稿送り装置のレジスト調整値や原稿読取ユニットの読取速度に基づき補正すると良い。
【００１６】
【発明の実施の形態】
この発明の画像形成装置は画像読取ユニットと画像形成ユニットと１次転写ユニットと２次転写ユニットと給紙ユニット及び定着ユニットを有する。画像読取ユニットは原稿載置台のコンタクトガラス上に載置された原稿のカラー情報を各色毎に分解して読み取り電気的な画像信号に変換し、ブラック（Ｋ），イエロー（Ｙ），シアン（Ｃ）及びマゼンタ（Ｍ）のカラー画像信号を得る。画像形成ユニットは画像書込部からのレーザビームにより感光体上に静電潜像を形成し、感光体に形成した静電潜像を回転式のカラー現像部で可視化してトナー像を形成する。１次転写ユニットは感光体に形成されたトナー像を複数のテンションローラと２次転写ローラに巻回された中間転写ベルトに１次転写するものであり、複数例えば４個の基準位置センサを有する。中間転写ベルトは基準となる画像サイズ例えばＡ４横サイズの２倍以上の長さを有し、同時に基準サイズであるＡ４サイズの２面分のトナー像を転写できるようになっている。
【００１７】
画像形成装置の制御部には中央制御部と転写制御部及びディレイメモリを有する。中央制御部は自動原稿送り装置（以下、ＡＤＦという）に原稿がセットされると、セットされた原稿のサイズを検出し、セットされた原稿のサイズがＡ４サイズ以下のときは、ＡＤＦを駆動して２枚の原稿を一定の原稿給紙間隔をおいて原稿読取ユニットのコンタクトガラス上に搬送させる。１枚目の原稿と２枚目の原稿がコンタクトガラス上にセットされると、中央制御部は原稿読取ユニットを駆動して最初に読み取る２枚目の原稿の画像情報を読み取らせ、読み取った２枚目の原稿の画像情報をディレイメモリに格納する。引き続いて１枚目の原稿を読み取らせて画像形成処理を実行し、中間転写ベルトに１枚目の原稿のトナー像を転写する。１枚目の原稿の読み取りと第１色目の画像形成処理が終了してから引き続いてディレイメモリにより転写紙の給紙間隔と自動原稿送り装置の原稿給紙間隔との差に応じた遅延時間だけ遅延された２枚目の原稿の画像情報により画像形成処理を実行し、中間転写ベルトに１枚目の原稿のトナー像より転写紙を給紙する転写紙間隔だけの差を持って２枚目の原稿のトナー像を転写する。この処理を各色毎に繰り返して、中間転写ベルトに１枚目の原稿の画像と２枚目の原稿の画像を形成する。中間転写ベルトに形成された１枚目の原稿と２枚目の原稿の画像は給紙ユニットから２次転写ユニット３に転写紙間隔で送られる転写紙に転写する。
【００１８】
【実施例】
〔実施例１〕  図１はこの発明の一実施例の構成を示すブロック図である。図に示す画像形成装置の画像形成ユニット１と１次転写ユニット２と２次転写ユニット３と給紙ユニット４及び定着ユニッ５は、図５に示したものと全く同じ構成である。画像形成装置の制御部１００には中央制御部１０１と転写制御部１０２とディレイメモリ１０３と未転写判断部１０５及びクリーニング領域選択部１０６を有する。中央制御部１０１は自動原稿送り装置（以下、ＡＤＦという）１１１の動作を制御してＡＤＦ１１１にセットされた原稿を原稿読取ユニット１１２に送るとともに原稿読取ユニット１１２の動作を制御し、原稿読取ユニット１１２で読み取った原稿の画像情報やホストインタフェース１１３を介してホスト装置１０５から送られる画像情報の処理をする。転写制御部１０２は画像形成ユニット１と１次転写ユニット２と２次転写ユニット３と給紙ユニット４及び定着ユニッ５の動作を制御して転写紙６に画像を形成する。ディレイメモリ１０３は原稿読取ユニット１１２で読み取った原稿のシフト用の画像情報を一次記憶する。未転写判断部１０５は給紙ユニット４にペーパエンドが発生したときに転写制御部１０２からの制御情報により１次転写ユニット２の中間転写ベルト２１に１次転写されたトナー像のなかで転写紙６に２次転写されていないトナー像があるかどうかと、２次転写されていないトナー像がある場合にはその領域を判断する。クリーニング領域選択部１０６は未転写画像判断部１０５の判断結果により中間転写ベルト２１のクリーニングする領域を定める。
【００１９】
上記のように構成された画像形成装置でＡＤＦ１１１にセットされた原稿を転写紙６に複写するときの動作を図２のフローチャートを参照して説明する。
【００２０】
ＡＤＦ１１１に原稿がセットされると、中央制御部１０１はＡＤＦ１１１の原稿サイズ検出センサからの信号によりセットされた原稿のサイズを検出する（ステップＳ１）。セットされた原稿のサイズがＡ４サイズ以下のときは（ステップＳ２）、ＡＤＦ１１１を駆動して１枚目の原稿を原稿読取ユニット１１２のコンタクトガラス上に搬送する（ステップＳ３）。引き続いて中央制御部１０１はＡＤＦ１１１の原稿検出センサからの信号によりＡＤＦ１１１に２枚目の原稿が有るかどうかを判断し（ステップＳ４）、ＡＤＦ１１１に２枚目の原稿が有るときは再びＡＤＦ１１１を駆動して、コンタクトガラス上に搬送した１枚目の原稿とＡＤＦ１１１に有る２枚目の原稿を搬送し、図３に示すように、原稿読取ユニット１１２のコンタクトガラス１１４上に１枚目の原稿１２１と２枚目の原稿１２２を一定の原稿給紙間隔Ａをおいてセットする（ステップＳ５）。１枚目の原稿１２１と２枚目の原稿１２２がコンタクトガラス１１４上にセッされると、中央制御部１０１は原稿読取ユニット１１２を駆動して最初に読み取る２枚目の原稿１２２の画像情報を読取開始位置１２２ａから読取終了位置１２２ｂまで読み取らせ、読み取った２枚目の原稿１２２の画像情報をディレイメモリ１０３に格納する（ステップＳ６）。
【００２１】
このディレイメモリ１０３の画像情報を入力してから出力するまでの時間差である遅延時間Ｔは、図４の説明図に示すように、給紙ユニット４で給紙する１枚目の転写紙６ａと２枚目の転写紙６ｂの転写紙間隔ＢとＡＤＦ１１１の原稿給紙間隔Ａとの差Ｃ＝（Ｂ−Ａ）に応じて定められている。また、形成する画像の変倍率が可変できる場合、例えば変倍率が７１％から２００％まで可変可能な画像形成装置においては、２００％の変倍率で転写紙６に画像を形成する場合、原稿読取ユニット１１２は１００％の画像を形成する場合と比べて１／２の線速で原稿の画像を読み取ることになる。このように画像の変倍率が可変できる場合は、遅延時間Ｔを原稿給紙間隔Ａと転写紙間隔Ｂとの差Ｃ＝（Ｂ−Ａ）と形成する画像の変倍率に応じて定める。
【００２２】
２枚目の原稿１２２の画像情報の読み取りが終了し、原稿読取ユニット１１２で次ぎに読み取る１枚目の原稿１２１の読み取り開始位置１２１ａで１枚目の原稿１２１の画像情報の読み取りを開始する（ステップＳ７）。この１枚目の原稿１２１は２枚目の原稿１２２の読み取りが終了してから原稿給紙間隔Ａをおいて直ちに読み取られるから、原稿読取ユニット１１２で２枚の原稿１２２、１２１を短時間で読取ることができる。また、２枚の原稿１２２、１２１を原稿給紙間隔Ａを隔ててコンタクトガラス１１４上にセットすることができ、原稿読取ユニット１１２を小型化することができる。
【００２３】
中央制御部１０１は原稿読取ユニット１１２で読み取っている１枚目の原稿１２１の画像情報を転写制御部１０２に送り画像形成処理を開始させる。画像形成処理に入ると転写制御部１０２は１枚目の原稿１２１の画像情報を画像形成ユニット１に送り、最初のマーク検知信号を基準に１枚目の原稿１２１の第１色目の画像形成処理を行わせ、感光体１１に形成した１枚目の原稿１２１のトナー像を中間転写ベルト２１に１次転写させる（ステップＳ８）。中央制御部１０１は１枚目の原稿１２１の読み取りと１枚目の原稿１２１の第１色目の画像形成処理が終了してから引き続いてディレイメモリ１０３により遅延時間Ｔだけ遅延された２枚目の原稿１２２の画像情報を転写制御部１０２に送る。転写制御部１０２は２枚目の原稿１２２の画像情報を画像形成ユニット１に送り、２枚目の原稿１２２の第１色目の画像形成処理を行わせ、感光体１１に形成した２枚目の原稿１２１のトナー像を中間転写ベルト２１に１次転写させる（ステップＳ９）。この処理を各色毎に繰り返して、１次転写ユニット２の中間転写ベルト２１に１枚目の原稿１２１の画像と２枚目の原稿１２２の画像を形成する（ステップＳ１０）。この中間転写ベルト２１に１枚目の原稿１２１の画像と２枚目の原稿１２２の画像を形成するときに、２枚目の原稿１２２は１枚目の原稿１２１の画像情報より、転写紙間隔ＢとＡＤＦ１１１の原稿給紙間隔Ａとの差Ｃ＝（Ｂ−Ａ）に応じて定められている遅延時間Ｔだけ遅延して送られるから、各色毎のずれを防止することができ、良質な画像を中間転写ベルト２１に形成することができる。
【００２４】
中間転写ベルト２１に形成された１枚目の原稿１２１の画像と２枚目の原稿１２２の画像は給紙ユニット４から２次転写ユニット３に転写紙間隔Ｂで送られる転写紙６に転写される（ステップＳ１４）。この転写紙６に画像を転写するときに、１枚目の原稿１２１の画像と２枚目の原稿１２２の画像が中間転写ベルト２１に転写紙間隔Ｂに応じた間隔で形成されているから、各画像を転写紙６にずれがなく転写することができる。
【００２５】
また、セットされた原稿のサイズがＡ４サイズより大きい例えばＡ３サイズのときは（ステップＳ２）、ＡＤＦ１１１を駆動して原稿を原稿読取ユニット１１２のコンタクトガラス上に搬送し、原稿を読み取って画像形成処理を行う（ステップＳ１１〜Ｓ１３）。
【００２６】
〔実施例２〕  上記実施例は最初に読み取った２枚目の原稿１２２の画像情報をディレイメモリ１０３に格納し、次ぎに１枚面の原稿１２１を読み取り、１枚面の原稿１２１の画像形成処理に引き続いてディレイメモリ１０３により遅延時間Ｔだけ遅延された２枚目の原稿１２２の画像形成処理を行なう場合について説明したが、図５のブロック図に示すように、最初に読み取った２枚目の原稿１２２の画像情報を画像メモリ１０４に格納し、次ぎに１枚面の原稿１２１を読み取り開始したときに、１枚面の原稿１２１の画像情報を遅延時間Ｔだけ遅延してディレイメモリ１０３に格納するようにしても良い。
【００２７】
この第２の実施例でＡＤＦ１１１にセットされた原稿を転写紙６に複写するときの動作を図６のフローチャートを参照して説明する。
【００２８】
ＡＤＦ１１１に原稿がセットされると、中央制御部１０１はＡＤＦ１１１の原稿サイズ検出センサからの信号によりセットされた原稿のサイズを検出する（ステップＳ２１）。セットされた原稿のサイズがＡ４サイズ以下のときは（ステップＳ２２）、ＡＤＦ１１１を駆動して１枚目の原稿を原稿読取ユニット１１２のコンタクトガラス上に搬送する（ステップＳ２３）。引き続いて中央制御部１０１はＡＤＦ１１１の原稿検出センサからの信号によりＡＤＦ１１１に２枚目の原稿が有るかどうかを判断し（ステップＳ２４）、ＡＤＦ１１１に２枚目の原稿が有るときは再びＡＤＦ１１１を駆動して、コンタクトガラス上に搬送した１枚目の原稿とＡＤＦ１１１に有る２枚目の原稿を搬送し、原稿読取ユニット１１２のコンタクトガラス１１４上に１枚目の原稿１２１と２枚目の原稿１２２を一定の原稿給紙間隔Ａをおいてセットする（ステップＳ２５）。１枚目の原稿１２１と２枚目の原稿１２２がコンタクトガラス１１４上にセッされると、中央制御部１０１は、図３に示すように、原稿読取ユニット１１２を駆動して最初に読み取る２枚面の原稿１２２の画像情報を読取開始位置１２２ａから読取終了位置１２２ｂまで読み取らせ、読み取った２枚面の原稿１２２の画像情報を転写制御部１０２に送り画像メモリ１０４に格納させる（ステップＳ２６）。２枚面の原稿１２２の画像情報の読み取りが終了し、原稿読取ユニット１１２で次ぎに読み取る１枚目の原稿１２１の読み取り開始位置１２１ａで１枚目の原稿１２１の画像情報の読み取りが開始すると（ステップＳ２７）、中央制御部１０１は原稿読取ユニット１１２で読み取っている１枚目の原稿１２１の画像情報を読取開始位置１２１ａで読み取りを開始したときからディレイメモリ１０３に格納する（ステップＳ２８）。
【００２９】
１枚目の原稿１２１の読み取りが終了すると、中央制御部１０１はディレイメモリ１０３に記憶した１枚目の原稿１２１の画像情報を、読取開始位置１２１ａで読み取りを開始したときから所定の遅延時間Ｔだけ遅延させて転写制御部１０２を介して画像メモリ１０４に格納する（ステップＳ２９）。転写制御部１０２は画像メモリ１０４に格納された１枚目の原稿１２１の画像情報から読み出して画像形成ユニット１に送り、１枚目の原稿１２１の第１色目の画像形成処理を行わせ（ステップＳ３０）、引き続いて遅延時間Ｔと原稿給紙間隔Ａに応じて画像メモリ１０４に格納してある２枚目の原稿１２２の画像情報を読み出して画像形成ユニット１に送り、２枚目の原稿１２２の第１色目の画像形成処理を行わせる（ステップＳ３１）。この処理を各色毎に繰り返して、１次転写ユニット２の中間転写ベルト２１に１枚目の原稿１２１の画像と２枚目の原稿１２２の画像を形成する（ステップＳ３２）。
【００３０】
このように中間転写ベルト２１に１枚目の原稿１２１の画像と２枚目の原稿１２２の画像を形成するときに、画像メモリ１０４に１枚目の原稿１２１の画像情報は、２枚目の原稿１２２の読み取りが終了して１枚目の原稿１２１の読み取りを開始してから遅延時間Ｔだけ遅延して画像メモリ１０４に格納するから、各色毎のずれを防止することができ、良質な画像を中間転写ベルト２１に形成することができる。この中間転写ベルト２１に形成された１枚目の原稿１２１と２枚目の原稿１２２の画像は給紙ユニット４から２次転写ユニット３に転写紙間隔Ｂで送られる転写紙６に転写する（ステップＳ３６）。この転写紙６に画像を転写するときに、１枚目の原稿１２１の画像と２枚目の原稿１２２の画像が中間転写ベルト２１に転写紙間隔Ｂに応じた間隔で形成されているから、各画像を転写紙６にずれがなく転写することができる。
【００３１】
また、セットされた原稿のサイズがＡ４サイズより大きい例えばＡ３サイズのときは（ステップＳ２２）、ＡＤＦ１１１を駆動して原稿を原稿読取ユニット１１２のコンタクトガラス上に搬送し、原稿を読み取って画像形成処理を行い（ステップＳ３３〜Ｓ３５）、中間転写ベルト２１に形成された画像を給紙ユニット４から２次転写ユニット３に送られる転写紙６に転写する（ステップＳ３６）。
【００３２】
上記実施例はあらかじめ設定された遅延時間Ｔにより２枚目の原稿１２２を１枚目の原稿１２１の画像情報より遅らせて画像を形成する場合について説明したが、この遅延時間Ｔを給紙ユニット４における転写紙６のレジスト調整値や、ＡＤＦ１１１で原稿を送るときのレジスト調整値及び原稿読取ユニットの読取速度に基づき補正すると、各画像形成装置毎の機械の精度によるバラツキを修正することができ、より良質な画像を形成することができる。
【００３３】
【発明の効果】
この発明は以上説明したように、自動原稿送り装置にセットされた基準となる画像サイズの原稿を２枚分連続して原稿読取ユニットに送り、原稿読取ユニットで２枚の原稿の画像を読み取るときに、２枚目の原稿を読み取った画像情報をディレイメモリに格納し、１枚目の原稿の読み取りが終了してから２枚目の原稿の画像情報を転写紙の給紙間隔と自動原稿送り装置の原稿給紙間隔との差に応じた遅延時間だけ遅延して出力するから、大容量のメモリを使用せずに２枚分の原稿の画像を効率良く形成することができる。
【００３４】
また、自動原稿送り装置にセットされた基準となる画像サイズの原稿を２枚分所定の原稿給紙間隔で原稿読取ユニットに送り、原稿読取ユニットで２枚の原稿の画像を読み取るときに、最初の原稿を読み取ってから次ぎの原稿の読み取りを開始したときに、次ぎの原稿の画像を転写紙の給紙間隔と自動原稿送り装置の原稿給紙間隔との差に応じた遅延時間だけ遅延して記憶するから、２枚の原稿の画像を転写紙の給紙間隔をおいて記憶することができ、レジストずれのない良質な画像を形成することができる。
【００３５】
さらに、２枚目の原稿の画像情報を転写紙の給紙間隔と自動原稿送り装置の原稿給紙間隔との差に応じた遅延時間だけ遅延して出力するから、レジストずれのない良質な画像を形成することができる。
【００３６】
さらに、１枚目の原稿は２枚目の原稿の読み取りが終了してから原稿給紙間隔をおいて直ちに読み取られるから、原稿読取ユニットで２枚の原稿を短時間で読取ることができる。さらに、２枚の原稿を原稿給紙間隔をおいてコンタクトガラスにセットすることができるから、原稿読取ユニットを小型化することができ、装置全体の小型化を図ることができる。
【００３７】
また、上記遅延時間を転写紙の給紙間隔と自動原稿送り装置の原稿給紙間隔との差及び変倍率に応じて定めることにより、各種の変倍率でレジストずれのない良質な画像を形成することができる。
【００３８】
さらに、遅延時間を転写紙のレジスト調整値や自動原稿送り装置のレジスト調整値や原稿読取ユニットの読取速度に基づき補正することにより、各画像形成装置毎の機械の精度によるバラツキを修正することができ、より良質な画像を形成することができる。
【図面の簡単な説明】
【図１】この発明の実施例の構成を示すブロック図である。
【図２】上記実施例の動作を示すフローチャートである。
【図３】コンタクトガラスにセットされた原稿を示す説明図である。
【図４】転写紙の給紙間隔と自動原稿送り装置の原稿給紙間隔を示す説明図である。
【図５】第２の実施例の構成を示すブロック図である。
【図６】第２の実施例の動作を示すフローチャートである。
【図７】画像形成装置の構成図である。
【図８】中間転写ベルトの基準マークを示す斜視図である。
【図９】中間転写ベルトに転写されたトナー像を示す展開図である。
【符号の説明】
１；画像形成ユニット、２；１次転写ユニット、３；２次転写ユニット、
４；給紙ユニット、５；定着ユニット、１１；感光体、
２１；中間転写ベルト、１００；制御部、１０１；中央制御部、
１０２；転写制御部、１０３；ディレイメモリ、１０４；画像メモリ、
１１１；自動原稿送り装置（ＡＤＦ）、１１２；原稿読取ユニット。
【図１】
0004031598.tif 000002
【図２】
0004031598.tif 000003
【図３】
0004031598.tif 000004
【図４】
0004031598.tif 000005
【図５】
0004031598.tif 000006
【図６】
0004031598.tif 000007
【図７】
0004031598.tif 000008
【図８】
0004031598.tif 000009
【図９】
0004031598.tif 000010